(57)【要約】　　　（修正有）【課題】グラブの開閉を容易に行うことにより利便にボールを受け、また受けたボールを落ち難くすることができ、ボールを受ける機能を向上させることができるボール受けとめ装置を提供することを目的とする。【解決手段】上記課題を解決するために、グラブと、手の持ち部と、作動グルーブ３と、押しタッチプレート４と、左右対称の二つのクリップフレーム５とを有し、作動グルーブにおける手のロックロッド３１の下段を引くと、活動ロッドとプッシュブロックが一緒に前へ移動し、二つ平行併合のクリップフレーム５を外へ活動自在のように回転させ、閉じたグラブが開けられ、ボールを受けることができ、ボールをグラブに受けとめると同時に、手で手のロックロッドの下段を引く力が直ちに停止され、二つのクリップフレームが自動に内へ平行併合の状態まで活動回転してグラブを閉じる構成とされる。【選択図】　　　図２
0003097789.tif 000002
【実用新案登録請求の範囲】
【請求項１】
グラブと、手の持ち部と、作動グルーブと、押しタッチプレートと、左右対称の二つのクリップフレームとを有するボール受けとめ装置であって、
前記グラブは、後方に前記クリップフレームの貫通孔を設ける円形軟質中空袋であり、前記貫通孔の両側に、矩形バー状の連結プレートが設けられ、前記グラブの先端面内壁には、前記貫通孔に対応した位置の上端において、両端を固定するように縫われた弾性の収束板帯が設けられ、
前記手の持ち部は、左右対称の握り板により挟まれるように組成され、前記握り板の中心箇所に、手の指用の貫通孔が配置され、前記貫通孔の上方向には、対応するように枢設固定の凸体及び該凸体の枢設孔を設け、前記握り板の前壁上下方向に、上延ばし板、下延ばし板が形成され、前記上延ばし板の下端面及び内側に、枢設固定の凸体及び収容溝が設けられ、前記下延ばし板の下側面及び内側に、枢設固定の凸軸及び前後の位置決めブロックが設けられ、前記握り板の前壁外側に、前記グラブの連結プレート、プラグプレートを挿入するための嵌め込み溝が設けられ、
前記作動グルーブは、手のロックロッド、活動ロッド、圧縮ユニット、敷板、プッシュブロックから組成され、前記手のロックロッドの上段に、前記握り板の枢設固定の前記凸体を貫通するための枢設貫通孔を設け、前記手のロックロッドの上段前壁に、ロッド嵌め溝が凹むように加工され、
前記活動ロッドは自身の後端を前記ロッド嵌め溝の内部に挿入するロッドであり、前記活動ロッドの中段及び先端に、嵌めリング、雄のねじ山を備え、
前記圧縮ユニットは、前記活動ロッドの前段外部にはめる弾性のユニットであり、前記敷板はロッド入れ孔を具備し、前記プッシュブロックは、前記握り板の前壁の上方における収容溝の内部に嵌め込む矩形ブロックであり、前記プッシュブロックの後壁に設けられた雌のねじ山を経由して、前記雄のねじ山と螺合可能であり、
前記押しタッチプレートの下方両側の後端に、枢設凸体が設けられ、前記枢設貫通孔に枢設、接合すると、直列形状のユニットとなり、ヘッドを持つ前記押しタッチプレートの上段を前記グラブの後方のクリップ貫通孔に入れ、収束板帯でロックすることが可能であり、前記押しタッチプレートの後壁下段の嵌め込み溝により、伸張弾力を具有する前記圧縮ユニットの先端を嵌め込み、
前記クリップフレームは中段に、軟質の保護薄片で被覆され、コ形のフレームとなり、前記クリップフレームの上端部には、前記握り板の上端の前記凸体に対応するように、枢設合わせ孔が設置され、上端部の内側及び下方にプッシ受けブロック及び弧形配列のラチェットギアが設置され、前記クリップフレームの下端部には、前記握り板の下端の前記凸軸に対応するように枢設合わせ孔が設置され、下端部の内側及び内部に位置決め凸体及び収容孔を経由して、トークスプリングの長い端の嵌め込みが可能であり、
前記作動グルーブにおける前記手のロックロッドの下段を引くと、前記活動ロッドと前記プッシュブロックが一緒に前へ移動し、二つ平行併合のクリップフレームを外へ活動自在のように回転させ、閉じた前記グラブが開けられ、ボールを受けることができ、ボールを前記グラブに受けとめると同時に、手で前記手のロックロッドの下段を引く力が直ちに停止され、二つのクリップフレームが自動に内へ平行併合の状態まで活動回転して前記グラブを閉じることを特徴とするボール受けとめ装置。
【考案の詳細な説明】
【０００１】
【考案の属する技術分野】
本考案はボール受けとめ装置に係るものであり、特に、スポーツなどで用いられるボールを容易に受けとめることができるボール受けとめ装置に係るものである。
【０００２】
【従来の技術】
従来、野球などのスポーツにおいて、打者が打ったボールを受けとめる場合にグラブが用いられている。グラブでボールを受けとめる場合、手にグラブをはめて飛んで来たボールをグラブの表面で受けた時に握力を加えてボールを握る。近年、このようなグラブにおいて、ボールを受ける機能等を向上させるための研究、開発、改良が行われている。
【０００３】
【考案が解決しようとする課題】
しかしながら、上記のように従来のグラブでボールを受ける際、受けたボールをタイミングよく握力を加えないと、グラブからボールが落ちてしまい、容易にボールを受けることが難しいという問題点があった。
【０００４】
また、グラブの開閉を行ってボールを受けるには、必要以上の握力が必要であり、何度もボールを受けると、必要以上に体力を消耗してしまうなど、ボール受けとめ装置の機能性に欠けるという問題点があった。
【０００５】
本考案は、グラブの開閉を容易に行うことにより利便にボールを受け、また受けたボールを落ち難くすることができ、ボールを受ける機能を向上させることができるボール受けとめ装置を提供することを目的とする。
【０００６】
【課題を解決するための手段】
前記の目的を図るために、本考案は、グラブと、手の持ち部と、作動グルーブと、押しタッチプレートと、左右対称の二つのクリップフレームとを有するボール受けとめ装置であって、前記グラブは、後方に前記クリップフレームの貫通孔を設ける円形軟質中空袋であり、前記貫通孔の両側に、矩形バー状の連結プレートが設けられ、前記グラブの先端面内壁には、前記貫通孔に対応した位置の上端において、両端を固定するように縫われた弾性の収束板帯が設けられ、
前記手の持ち部は、左右対称の握り板により挟まれるように組成され、前記握り板の中心箇所に、手の指用の貫通孔が配置され、前記貫通孔の上方向には、対応するように枢設固定の凸体及び該凸体の枢設孔を設け、前記握り板の前壁上下方向に、上延ばし板、下延ばし板が形成され、前記上延ばし板の下端面及び内側に、枢設固定の凸体及び収容溝が設けられ、前記下延ばし板の下側面及び内側に、枢設固定の凸軸及び前後の位置決めブロックが設けられ、前記握り板の前壁外側に、前記グラブの連結プレート、プラグプレートを挿入するための嵌め込み溝が設けられ、
前記作動グルーブは、手のロックロッド、活動ロッド、圧縮ユニット、敷板、プッシュブロックから組成され、前記手のロックロッドの上段に、前記握り板の枢設固定の前記凸体を貫通するための枢設貫通孔を設け、前記手のロックロッドの上段前壁に、ロッド嵌め溝が凹むように加工され、
前記活動ロッドは自身の後端を前記ロッド嵌め溝の内部に挿入するロッドであり、前記活動ロッドの中段及び先端に、嵌めリング、雄のねじ山を備え、
前記圧縮ユニットは、前記活動ロッドの前段外部にはめる弾性のユニットであり、前記敷板はロッド入れ孔を具備し、前記プッシュブロックは、前記握り板の前壁の上方における収容溝の内部に嵌め込む矩形ブロックであり、前記プッシュブロックの後壁に設けられた雌のねじ山を経由して、前記雄のねじ山と螺合可能であり、
前記押しタッチプレートの下方両側の後端に、枢設凸体が設けられ、前記枢設貫通孔に枢設、接合すると、直列形状のユニットとなり、ヘッドを持つ前記押しタッチプレートの上段を前記グラブの後方のクリップ貫通孔に入れ、収束板帯でロックすることが可能であり、前記押しタッチプレートの後壁下段の嵌め込み溝により、伸張弾力を具有する前記圧縮ユニットの先端を嵌め込み、
前記クリップフレームは中段に、軟質の保護薄片で被覆され、コ形のフレームとなり、前記クリップフレームの上端部には、前記握り板の上端の前記凸体に対応するように、枢設合わせ孔が設置され、上端部の内側及び下方にプッシ受けブロック及び弧形配列のラチェットギアが設置され、前記クリップフレームの下端部には、前記握り板の下端の前記凸軸に対応するように枢設合わせ孔が設置され、下端部の内側及び内部に位置決め凸体及び収容孔を経由して、トークスプリングの長い端の嵌め込みが可能であり、
前記作動グルーブにおける前記手のロックロッドの下段を引くと、前記活動ロッドと前記プッシュブロックが一緒に前へ移動し、二つ平行併合のクリップフレームを外へ活動自在のように回転させ、閉じた前記グラブが開けられ、ボールを受けることができ、ボールを前記グラブに受けとめると同時に、手で前記手のロックロッドの下段を引く力が直ちに停止され、二つのクリップフレームが自動に内へ平行併合の状態まで活動回転して前記グラブを閉じることにより、利便にボールを受け、また受けたボールを落ち難くすることができ、ボールを受ける機能を向上させることができる。
【０００７】
以下に添付図面を参照して本考案のある好適な実施の形態を詳細に説明するが、それらの構成は本考案の構造の絶対的な制限にならない。
【０００８】
【考案の実施の形態】
図１は、本考案のボール受けとめ装置を示す斜視図である。図２は、本考案のボール受けとめ装置を示す分解斜視図である。図３は、本考案のボール受けとめ装置のクリップフレーム及び保護プレートを示す分解図である。図４は、本考案のボール受けとめ装置のタッチプレートを示す斜視図である。図５は、本考案のボール受けとめ装置のタッチプレートを２つの握り板に枢設して合わせる部分を示す分解斜視図である。図６は、本考案のボール受けとめ装置のグラブを二つのクリップフレームに嵌める部分を示す斜視図である。
【０００９】
図１、図２に示すように、本考案のボール受けとめ装置は、主に、グラブ１と、手の持ち部２と、作動グルーブ３と、押しタッチプレート４と、左右対称の２つのクリップフレーム５とから形成されている。グラブ１は（更に、図６を参照）、後方に２つのクリップフレーム５の貫通孔１１を設ける円形軟質中空袋である。クリップフレーム５の貫通孔１１の両側に、矩形バー状の連結プレート１２が設けられる。グラブ１の先端面内壁には、クリップフレーム５の貫通孔１１に対応した位置の上端において、両端を固定するように縫われた弾性の収束板帯１３が設けられる。
【００１０】
図２、図５に示すように、手の持ち部２は、左右対称の握り板２１、２１’により挟まれるように組成されている。二枚の握り板２１、２１’の中心箇所に、手の指用の貫通孔２１１を配置する。手の指用の貫通孔２１１の上方向には、対応するように枢設固定の凸体２１２及び凸体２１２の枢設孔２１３を設ける。また、握り板２１，２１’の前壁上下方向に、上延ばし板２１４、下延ばし板２１５が形成されている。上延ばし板２１４の下端面及び内側に、それぞれ枢設固定の凸体２１６及び収容溝２１７が設けられている。下延ばし板２１５の下側面及び内側に、それぞれ枢設固定の凸軸２１８及び前後の位置決めブロック２１９、２１０が設けられている。
【００１１】
また、図７は、本考案のボール受けとめ装置のプラグプレートでグラブを手の持ち部に連結する部分を示す斜視図である。図７に示すように、握り板２１、２１’の前壁外側に、グラブ１の連結プレート１２、プラグプレート２１ｃを挿入するための嵌め込み溝２１ｄが設けられている。
【００１２】
図２に示すように、作動グルーブ３は手のロックロッド３１、活動ロッド３２、圧縮ユニット３３、敷板３４、プッシュブロック３５から組成されている。手のロックロッド３１の上段に、握り板２１’の枢設固定の凸体２１２を貫通するための枢設貫通孔３１１がある。また、手のロックロッド３１の上段前壁に、ロッド嵌め溝３１２が凹むように加工される。活動ロッド３２は自身の後端を手のロックロッド３１のロッド嵌め溝３１２の内部に挿入するというロッドである。活動ロッド３２の中段及び先端に、それぞれ嵌めリング３２１、雄のねじ山３２２を備えている。
【００１３】
圧縮ユニット３３は、活動ロッド３２の前段外部にはめる弾性のユニットである。敷板３４は、ロッド入れ孔３４１を具備するプレートである。プッシュブロック３５は、握り板２１、２１’前壁の上方における収容溝２１７の内部に嵌め込む矩形ブロックである。また、プッシュブロック３５の後壁に設ける雌のねじ山３５１を経由して、活動ロッド３２の先端の雄のねじ山３２２と螺合することができる。
【００１４】
図４、図５に示すように、押しタッチプレート４の下方両側の後端に、枢設凸体４１が設けられるので、握り板２１、２１’の前壁二つ凸耳２１ａの枢設貫通孔２１ｂに枢設、接合すると、直列形状のユニットとなる。ヘッドを持つ押しタッチプレート４の上段をグラブ１の後方のクリップ貫通孔１１に入れることができ、収束板帯１３でロックすることもできる。押しタッチプレート４の後壁下段に、嵌め込み溝４２があるので、伸張弾力を具有する圧縮ユニット４３の先端を嵌め込む。
【００１５】
図３に示すように、二つのクリップフレーム５は中段に、軟質の保護薄片５１で被覆され、コ形のフレームになる。二つのクリップフレーム５の上端部５２には、手の持ち部２の二枚握り板２１、２１’の上端における枢設固定の凸体２１６に対応するように、枢設合わせ孔５２１が設置される。上端部５２の内側及び下方に、それぞれプッシ受けブロック５２２及び弧形配列のラチェットギア５２３が設置される。それに対して、二つクリップフレーム５の下端部５３には、手の持ち部２の二枚握り板２１、２１’の下端における枢設固定の凸軸２１８に対応するように、枢設合わせ孔５３１が設置されるが、下端部５３の内側及び内部にそれぞれ位置決め凸体５３２及び収容孔５３３（図２を参照）を経由して、トークスプリング５４の長い端を嵌め込むことができる。
【００１６】
図８は、本考案のボール受けとめ装置の二つのクリップフレームを閉じる部分を示す断面図である。図９は、本考案のボール受けとめ装置の作動グループの操作を説明するための図である。図１０は、本考案のボール受けとめ装置の作動グループとプッシュブロックとの連結関係を示す断面図である。図１１は、本考案のボール受けとめ装置のクリップフレームを開けた状態を示す断面図である。図１２は、本考案のボール受けとめ装置のプラグプレートを嵌め込み溝の内部に挿入した断面図である。
【００１７】
図２、図５、図８に示すように、ボール受けとめ装置を組み立てる場合、２つのトークスプリング５４の端部は、フレーム５の下端部５３の収容孔５３３に設置される。次に、フレーム５の下端部５３の枢設合わせ孔５３１とトークスプリング５４のセンターと二枚握り板２１，２１‘の下端の枢設固定の凸軸２１８とを合わせて組み立てる。また、２つのクリップフレーム５の上端部５２の枢設合わせ孔５２１と握り板２１，２１‘の上端の凸部２１６とを合わせて組み立てる。
【００１８】
次に、作動グルーブ３の活動ロッド３２の後端が、手のロックロッド３１の上段のロッド嵌め溝３１２に挿入される。また、圧縮ユニット３３、敷板３４の順に活動ロッド３２の先端に嵌める。プッシブロック３５の後壁の雌のネジ山３５１と活動ロッド３２先端の雄のネジ山３２２を螺合するプッシブロック３５を半分ずつ、握り板２１，２１’の上端内側の収容溝２１７に嵌め込む。また、手のロックロッド３１の枢設貫通孔３１１に、握り板２１’の枢設固定の凸体２１２を挿入する。
【００１９】
次に、押しタッチプレート４の下端両側の枢設凸体４１は、握り板２１，２１’前壁の二つの凸耳２１ａの枢設貫通孔２１ｂに枢設合わせるように連結する。圧縮ユニット４３の先端を、押しタッチ板４の後壁の嵌め込み溝４２に嵌め込む。圧縮ユニット４３の後端は、二枚握り板２１、２１’の併合前壁につっかいとなる。
【００２０】
さらに、左右対称の握り板２１，２１’を挟んで組み立てることにより、手の持ち部２が形成される。手の持ち部２の前方の２つクリップフレーム５と押しタッチ板４をグラブ１の後方のクリップフレーム貫通孔１１を経由し、グラブ１の中空内部に入れる。また、押しタッチプレート４のネックをグラブ１の先端内壁と弾性収束板帯１３との間に掛ける。後に、グラブ１のクリップフレームの貫通孔１１における両側の連結プレート１２及びプラグプレート２１ｃを握り板２１、２１’の両側の嵌め込み溝２１ｄに挿入する。グラブ１と手の持ち部２を合わせて、安定かつ丈夫なように位置決められる。
【００２１】
図９、図１０、図１１に示すように、本考案のボール受けとめ装置を使用する場合、手で作動グルーブ３における手のロックロッド３１の下段を引くと、活動ロッド３２とプッシュブロック３５を一緒に前へ移動させる。更に、二つ平行併合のクリップフレーム５を外へ活動自在のように回転させる。よって、閉じたグラブ１が開けられ、ボールを受けることができる。また、ボールをグラブ１に受けとめると同時に、手で手のロックロッド３１の下段を引く力が直ちに停止されるため、二つのクリップフレーム５が自動に内へ平行併合の状態まで活動回転してグラブ１を閉じるため、ボールがグラブ１から落ちることを避けることができる。年齢の幼い子供でも、手で本考案のボール受けとめ装置を円滑操作しながら、作動グルーブ３における手のロックロッド３１の下段を引くことができるので、ボールを安定かつ丈夫なように受けとめることができる。
【００２２】
【考案の効果】
前記の説明と図面の掲載からわかるように、本考案のボール受けとめ装置は、グラブと、手の持ち部と、作動グルーブと、押しタッチプレートと、左右対称の二つのクリップフレームとを有し、作動グルーブにおける手のロックロッドの下段を引くと、活動ロッドとプッシュブロックが一緒に前へ移動し、二つ平行併合のクリップフレームを外へ活動自在のように回転させ、閉じたグラブが開けられ、ボールを受けることができ、ボールをグラブに受けとめると同時に、手で手のロックロッドの下段を引く力が直ちに停止され、二つのクリップフレームが自動に内へ平行併合の状態まで活動回転してグラブを閉じることにより、利便にボールを受け、また受けたボールを落ち難くすることができ、ボールを受ける機能を向上させることができる。
【図面の簡単な説明】
【図１】本考案のボール受けとめ装置を示す斜視図である。
【図２】本考案のボール受けとめ装置を示す分解斜視図である。
【図３】本考案のボール受けとめ装置のクリップフレーム及び保護プレートを示す分解図である。
【図４】本考案のボール受けとめ装置のタッチプレートを示す斜視図である。
【図５】本考案のボール受けとめ装置のタッチプレートを２つの握り板に枢設して合わせる部分を示す分解斜視図である。
【図６】本考案のボール受けとめ装置のグラブを二つのクリップフレームに嵌める部分を示す斜視図である。
【図７】本考案のボール受けとめ装置のプラグプレートでグラブを手の持ち部に連結する部分を示す斜視図である。
【図８】本考案のボール受けとめ装置の二つのクリップフレームを閉じる部分を示す断面図である。
【図９】本考案のボール受けとめ装置の作動グループの操作を説明するための図である。
【図１０】本考案のボール受けとめ装置の作動グループとプッシュブロックとの連結関係を示す断面図である。
【図１１】本考案のボール受けとめ装置のクリップフレームを開けた状態を示す断面図である。
【図１２】本考案のボール受けとめ装置のプラグプレートを嵌め込み溝の内部に挿入した断面図である。
【符号の説明】
１　　　　　　グラブ
２　　　　　　手の持ち部
３　　　　　　作動グルーブ
４　　　　　　押しタッチプレート
５　　　　　　クリップフレーム
１１、２１１　　貫通孔
１２　　　　　連結プレート
１３　　　　　収束板帯
２１、２１’　握り板
２１ａ　　　　凸耳
２１ｂ　　　　枢設貫通孔
２１ｃ　　　　プラグプレート
２１ｄ　　　　嵌め込み溝
３１　　　　　ロックロッド
３２　　　　　活動ロッド
３３　　　　　圧縮ユニット
３４　　　　　敷板
３５　　　　　プッシュブロック
４１　　　　　枢設凸体
５１　　　　　保護薄片
５２　　　　　上端部
５３　　　　　下端部
５４　　　　　トークスプリング
２１２　　　　凸体
２１３　　　　枢設孔
２１４　　　　上延ばし板
２１５　　　　下延ばし板
２１６　　　　凸体
２１７　　　　収容溝
２１８　　　　凸軸
２１９、２１０　　　位置決めブロック
３１１　　　　枢設貫通孔
３１２　　　　ロッド嵌め溝
３２１　　　　嵌めリング
３２２　　　　雄のねじ山
５２１　　　　枢設合わせ孔
５２２　　　　プッシ受けブロック
５２３　　　　ラチェットギア
５３１　　　　枢設合わせ孔
５３２　　　　位置決め凸体
５３３　　　　収容孔
【図１】
0003097789.tif 000003
【図２】
0003097789.tif 000004
【図３】
0003097789.tif 000005
【図４】
0003097789.tif 000006
【図５】
0003097789.tif 000007
【図６】
0003097789.tif 000008
【図７】
0003097789.tif 000009
【図８】
0003097789.tif 000010
【図９】
0003097789.tif 000011
【図１０】
0003097789.tif 000012
【図１１】
0003097789.tif 000013
【図１２】
0003097789.tif 000014